【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
接着テープ部分（２３）が物体上に適用される一連の動作を行うべく構成された接着テープスタンプ（１）であって、
前記一連の動作中に接着テープ端部を前記接着テープ部分（２３）として切断箇所（２２）においてエンドレス接着テープ（１９）から切断するべく構成及び／又は配置された切断装置（１２）と、
前記一連の動作中にスタンプ方向（４）に前記接着テープ端部及び又は前記接着テープ部分（２３）を前記物体上に押圧するべく構成及び／又は配置されたスタンプ装置（１１）と
を含む接着テープスタンプ（１）。
【請求項２】
前記接着テープスタンプ（１）は、前記一連の動作中に前記エンドレス接着テープ（１９）を、強制して及び／又は摩擦を与えて及び／又はクランプして及び／又は破損せずに固定する、請求項１に記載の接着テープスタンプ（１）。
【請求項３】
Ａ）前記スタンプ装置（１１）は、前記エンドレス接着テープ（１９）を特にその自由端及び／又は前記切断箇所（２２）の領域において若しくは当該領域内において前記スタンプ装置（１１）に対してクランプ固定するべく構成された保持装置（１０ａ、ｂ、ｃ、ｄ）を含み、
及び／又は
Ｂ）前記接着テープスタンプ（１１）は、前記エンドレス接着テープをクランプ固定するべく前記スタンプ装置（１１）と相互作用する保持装置（１０ａ、ｂ、ｃ、ｄ）を含み、
及び／又は
Ｃ）前記接着テープスタンプ（１１）は、前記スタンプ装置（１１）とは独立に前記エンドレス接着テープをクランプ固定するべく構成された保持装置（１０ａ、ｂ、ｃ、ｄ）を含む、請求項１又は２に記載の接着テープスタンプ（１）。
【請求項４】
前記保持装置（１０ａ、ｂ、ｃ、ｄ）及び／又は前記接着テープスタンプ（１）は、前記一連の動作中に前記エンドレス接着テープ（１９）をクランプ固定するべく構成的に配置及び形成されて、前記エンドレス接着テープ（１９）をエンドレス接着テープ貯蔵器から引き出し及び／又は前記エンドレス接着テープ（１９）を前記切断箇所の領域において又は当該領域内において前記切断のプロセスを行うべく保持することができる、請求項１から３のいずれか１項に記載の接着テープスタンプ（１）。
【請求項５】
前記保持装置は、前記エンドレステープをクランプ固定によりともに固定する２つのクランプパートナーを含み、前記クランプパートナーのうちゼロ、唯一又は双方が前記スタンプ装置に枢着及び／又は取り付けられる、請求項１から４のいずれか１項に記載の接着テープスタンプ（１）。
【請求項６】
前記スタンプ装置は、一連の動作を逆転、変更及び／又は反復させるべく構成及び／又は配置される、請求項１から５のいずれか１項に記載の接着テープスタンプ（１）。
【請求項７】
前記スタンプ装置の前面に前記エンドレステープを固定するクランプ装置又はクランプ機能要素が前記スタンプ装置（１１）の一端部側にのみ形成される、請求項１から６のいずれか１項に記載の接着テープスタンプ（１）。
【請求項８】
前記保持装置は、前記一連の動作中に前記スタンプ装置に対して動くクランプ装置として構成される、請求項１から６のいずれか１項に記載の接着テープスタンプ（１）。
【請求項９】
前記物体上に静止するハウジング静止部材（２）と、
前記接着テープスタンプ（１）を前記スタンプ方向（４）に動作させるべく前記ハウジング静止部材（２）に対して直線的に可動に配置されたハウジング動作部材（３）と
を有するハウジングを含む、請求項１から８のいずれか１項に記載の接着テープスタンプ。
【請求項１０】
前記スタンプ装置は、前記ハウジング動作部材（３）に取り付けられて、前記スタンプ装置（１１）は、前記接着テープスタンプ（１）の動作時に前記ハウジング動作部材（３）とともに前記スタンプ方向（４）の直線運動を行う、請求項９に記載の接着テープスタンプ（１）。
【請求項１１】
前記ハウジング動作部材（３）は、前記ハウジング静止部材（２）を取り囲み及び／又は前記ハウジング静止部材（２）と重なり合う、請求項９又は１０に記載の接着テープスタンプ（１）。
【請求項１２】
前記ハウジングは、前記エンドレス接着テープが挿入又は供給されるように開口し、すべてのハウジング部材又はそれらの部分集合、特に前記ハウジング動作部材及び前記ハウジング静止部材が、前記開口の状態において互いに機械的連結を形成し及び／又は互いに拘束的に接続される、請求項９から１１のいずれか１項に記載の接着テープスタンプ（１）。
【請求項１３】
前記ハウジング動作部材（３）に前記スタンプ装置（１１）が回転可能に取り付けられ、前記ハウジング静止部材（２）に強制ガイド（３８、４３）が配置及び／又は構成され、前記接着テープスタンプ（１）の前記スタンプ方向（４）及び／又はその反対方向の動作中に前記スタンプ装置（１１）の直線運動に回転運動が重畳される、請求項９から１２のいずれか１項に記載の接着テープスタンプ（１）。
【請求項１４】
前記強制ガイドは接続リンクガイド（３８）として構成される、請求項１３に記載の接着テープスタンプ（１）。
【請求項１５】
前記ハウジング静止部材（２）は、互いに機械的に接続された複数のクランプ装置（１０ａ、ｂ、ｃ、ｄ）、複数のクランプ要素、単数のクランプ体、単数のクランプ装置及び／又はディスペンサ装置を制御すべく構成及び／又は配置された制御要素（２９）を含む、請求項７から８のいずれか１項に記載の接着テープスタンプ（１）。
【請求項１６】
複数の前記クランプ装置は互いに機械的に接続されてそれぞれが、前記スタンプ表面（２０）に平行な回動運動により前記スタンププレート（１１）の角領域を取り囲んで前記接着テープ（１９）を前記スタンププレートの前面に固定するクランプ対（１０ａ、ｂ、ｃ、ｄ）として構成される、請求項９から１５のいずれか１項に記載の接着テープスタンプ（１）。
【請求項１７】
前記エンドレス接着テープは、両面に接着剤がコーティングされた両面接着テープとして構成される、請求項１から１６のいずれか１項に記載の接着テープスタンプ（１）。
【請求項１８】
好ましくは請求項１から１７のいずれか１項に記載の手動で動作される接着テープスタンプ（１）により接着テープ部分（２３）を物体上にスタンプする方法であって、
前記接着テープスタンプ（１）が前記物体上に位置決めされて、特に前記接着テープスタンプ（１）の機械的動作により好ましくはスタンプ方向（４）の一連の動作が行われ、
前記エンドレス接着テープ（１９）の自由端がまず、例えばスタンプ装置（１１）に固定され、
前記スタンプ装置（１）が前記スタンプ方向（４）の運動、特に直線及び回転の重畳運動を行い、
前記エンドレス接着テープ（１９）がエンドレス接着テープ供給部（９）から引き出されると同時に前記エンドレス接着テープの接着テープ端部が前記物体上に付着及び／又は押圧され、
前記接着テープの前記物体上への前記付着に伴い又は当該付着中に前記自由端が解放されて、前記エンドレス接着テープが前記スタンプ装置（１１）の切断箇所（２２）の領域に固定され、
前記接着テープ端部の前記物体上への前記付着の後及び／又は当該付着に伴って前記エンドレス接着テープが前記切断箇所（２２）において切断され、接着テープ部分（２３）が前記物体上で解放される方法。
【請求項１９】
前記固定はクランプにより行われる、請求項１８に記載の方法。